(57)【要約】【課題】ドラム内における洗濯物の移動をより促進することができ、洗濯物の偏りを抑制する。【解決手段】本実施形態のドラム式洗濯機は、水槽と、この水槽内に横軸状態に配設され洗濯物が収容されるドラムと、このドラムを正逆両方向に回転駆動する駆動装置と、前記ドラムの内周壁部に該ドラムの軸方向と平行な前後方向に延びて設けられた洗濯物掻き上げ用の突起部と、前記突起部に、軸方向を前後方向として回転自在に設けられ、回転により洗濯物の移動を促進するためのローラとを具備している。【選択図】図１
2018126253.tif 000002
【特許請求の範囲】
【請求項１】
水槽と、
この水槽内に横軸状態に配設され洗濯物が収容されるドラムと、
このドラムを正逆両方向に回転駆動する駆動装置と、
前記ドラムの内周壁部に該ドラムの軸方向と平行な前後方向に延びて設けられた洗濯物掻き上げ用の突起部と、
前記突起部に、軸方向を前後方向として回転自在に設けられ、回転により洗濯物の移動を促進するためのローラとを具備してなるドラム式洗濯機。
【請求項２】
前記突起部は、前記ドラムの中心側を向く頂部と、その頂部の両側に位置して該ドラムの円周方向を向く側面部とを有し、
前記ローラは、そのうち側面部に設けられている請求項１記載のドラム式洗濯機。
【請求項３】
脱水運転時に前記ドラムを正方向に連続回転させるものであって、
前記ローラは、前記側面部のうち、前記正方向の回転方向に対して後側の側面部に設けられている請求項２記載のドラム式洗濯機。
【請求項４】
前記ローラは、前記側面部の両側に夫々設けられている請求項２記載のドラム式洗濯機。
【請求項５】
前記突起部は、前記ドラムの中心側を向く頂部と、その頂部の両側に位置して該ドラムの円周方向を向く側面部とを有し、
前記ローラは、そのうち頂部に設けられている請求項１から４のいずれか一項に記載のドラム式洗濯機。
【請求項６】
前記ローラは、前記突起部に一部が埋まった状態に設けられている請求項１から５のいずれか一項に記載のドラム式洗濯機。
【発明の詳細な説明】
【技術分野】
【０００１】
本発明の実施形態は、ドラム式洗濯機に関する。
【背景技術】
【０００２】
横軸型の回転ドラムを有するドラム式洗濯機は、一般に、ドラムの内周壁部に掻き上げ用のバッフルを設けることにより、洗濯物を持上げた後落下させることを繰返しながら、洗濯運転（洗い、すすぎ、脱水の各行程）を進めるようになっている。また、バッフルと洗濯物との間の摩擦力を向上させて洗濯効果を高めるために、バッフルの頂部つまり稜線部に沿って複数個の突起又はボールを設けることも考えられている（例えば、特許文献１参照）。
【先行技術文献】
【特許文献】
【０００３】
【特許文献１】特開２００３−１２６５９５号公報
【発明の概要】
【発明が解決しようとする課題】
【０００４】
従来のドラム式洗濯機では、ドラムの回転に伴い洗濯物をバッフルにより掻き上げるようにしているものの、洗濯物がバッフルから剥がれにくく、ドラム内における洗濯物の移動がさほど良好でない傾向にあった。そのため、ドラム内での洗濯物の偏りが生じることがあるが、その偏りが大きすぎると、汚れ落ちにむらが生ずる等、洗濯効果を十分に高めることができない虞がある。
【０００５】
そこで、ドラム内における洗濯物の移動をより促進することができ、洗濯物の偏りを抑制することができるドラム式洗濯機を提供する。
【課題を解決するための手段】
【０００６】
本実施形態のドラム式洗濯機は、水槽と、この水槽内に横軸状態に配設され洗濯物が収容されるドラムと、このドラムを正逆両方向に回転駆動する駆動装置と、前記ドラムの内周壁部に該ドラムの軸方向と平行な前後方向に延びて設けられた洗濯物掻き上げ用の突起部と、前記突起部に、軸方向を前後方向として回転自在に設けられ、回転により洗濯物の移動を促進するためのローラとを具備している。
【図面の簡単な説明】
【０００７】
【図１】第１の実施形態を示すもので、ドラム式洗濯機の概略構成を示す縦断側面図
【図２】ドラムの正面図
【図３】ドラムの縦断側面図
【図４】バッフルの斜視図
【図５】第２の実施形態を示すバッフルの斜視図
【図６】第３の実施形態を示すバッフルの斜視図
【図７】第４の実施形態を示すバッフルの斜視図
【図８】第５の実施形態を示すバッフルの斜視図
【図９】第６の実施形態を示すバッフルの斜視図
【図１０】第７の実施形態を示すバッフルの斜視図
【発明を実施するための形態】
【０００８】
以下、洗濯機能及び乾燥機能の双方を備えたドラム式（横軸形）の洗濯乾燥機に適用したいくつかの実施形態について、図面を参照しながら説明する。尚、以下に述べる複数の実施形態において、共通する部分については、同一符号を付して、新たな図示や繰り返しの説明を省略することとする。
【０００９】
（１）第１の実施形態
図１から図４を参照しながら、第１の実施形態について述べる。まず、図１を参照して、本実施形態に係るドラム式洗濯機１の全体構成について述べる。このドラム式洗濯機１は、ほぼ矩形箱状をなす外箱２を有している。この外箱２の前面の中央部には、洗濯物出入口３が設けられていると共に、その洗濯物出入口３を開閉する扉４が配設されている。また、外箱２の前面上部には、操作パネル５が設けられ、その裏側（外箱２内）には、ドラム式洗濯機１の全体を制御する制御手段としての制御装置６が設けられている。
【００１０】
前記外箱２内には、横軸円筒状の水槽７が後下がりにやや傾斜した状態で、複数（例えば左右一対）のサスペンション８（一部のみ図示）を介して支持されている。この水槽７の後端側中心部には、例えばブラシレスＤＣモータからなるアウタロータ形のモータ９が配設されている。図２及び図３にも示すように、前記水槽７内には、洗濯物（衣類）が収容される円筒状のドラム１０が、前後方向に延び且つ後下がりにやや傾斜した傾斜軸を中心に回転可能に支持されている。
【００１１】
図２に示すように、このドラム１０の背面部には、中心部に前記モータの回転軸が連結されるハブ部１０ａが設けられ、そのハブ部１０ａから外周に向けて６本のスポーク部１０ｂが角度６０度間隔で設けられている。スポーク部１０ｂ間の隙間部分は、多数の通気孔を有した網目状に構成されている。図１に示すように、前記モータ９の回転軸９ａが、水槽７の背面を貫通して、ドラム１０の後端側中央部のハブ部１０ａに連結されている。これにて、ドラム１０はモータ９により直接的に回転駆動される。
【００１２】
図３にも示すように、ドラム１０の内周面部には、洗濯物掻き上げ用（撹拌用）の複数個（例えば３個）の突起部としてのバッフル１１が設けられている。前記ドラム１０の周壁部には、前記バッフル１１配設部分を除いて、通水（通気）用の多数個の孔１２が形成されている。本実施形態におけるバッフル１１の詳細については後述する。また、ドラム１０の前面部には、衣類が出し入れされる開口部１０ｃが設けられている。前記水槽７の前面部には、前記開口部１０ｃに連なる投入口７ａが形成されており、この投入口７ａと前記洗濯物出入口３とがベローズ１４を介して連通している。
【００１３】
前記水槽７の背面側の底部には、排水口１５が形成されている。この排水口１５には、機内排水ホース１６の基端部が接続されている。前記外箱２の底部を構成する底板２ａには、前側部に位置してフィルタユニット１７が設けられている。詳しく図示はしないが、このフィルタユニット１７は、円筒状のケース内にリントフィルタを収容して構成され、その前面開口部にキャップ１８が開閉可能に装着されている。前記リントフィルタは、洗濯水中の比較的大きなリント（糸くず）を捕獲する機能を有する。前記外箱２には、キャップ１８の前方に位置して出し入れ用の開口部が設けられ、その開口部がカバー２ｂにより開閉可能に塞がれている。
【００１４】
このフィルタユニット１７の上部には、ホース接続口１７ａが設けられ、このホース接続口１７ａに、前記機内排水ホース１６の先端部が接続されている。また、フィルタユニット１７の下部には、排水弁１９が接続され、この排水弁１９の出口側に排水パイプ２０が接続されている。この排水パイプ２０の先端部は、底板２ａを通って機外に臨み、図示しない機外排水ホースに接続される。これにて、排水弁１９が開放動作されると、水槽７内の洗濯水が、フィルタユニット１７を通った後、排水パイプ２０から排出される。
【００１５】
前記フィルタユニット１７の後端部には、循環ポンプ２１が設けられている。この循環ポンプ２１は、前記フィルタユニット１７に臨んで吸入口を有しており、前記水槽７及びドラム１０内の水を排水口１５、機内排水ホース１６及びフィルタユニット１７を介して吸引する。この循環ポンプ２１の上部には、吐出口２１ａが設けられ、この吐出口２１ａに送水ホース２２の基端部が接続されている。この送水ホース２２は、中間部が前記ベローズ１４の周側方から上方へ延びており、その先端部が前記水槽７の投入口７ａの上部に形成された噴水ノズル２３に接続されている。
【００１６】
前記噴水ノズル２３は、洗濯水を前記ドラム１０の内下部（厳密には正面から見てやや右寄りの下部）に向けて、矢印Ｘ方向に噴射するように構成されている。これにより、循環ポンプ２１が駆動されると、前記水槽７内の洗濯水が、排水口１５、機内排水ホース１６、フィルタユニット１７及び送水ホース２２を通って、噴水ノズル２３からドラム１０内にシャワー状に放水される。洗濯水が前記フィルタユニット１７を通る際に、リントフィルタにより比較的大きなリントが捕獲されるようになっている。
【００１７】
前記フィルタユニット１７の前方上部には、エアトラップ２４が設けられている。一方、外箱２内の最上部には水位センサ２５が配設されている。これらエアトラップ２４と水位センサ２５とが、エアチューブ２６によって接続されている。これにて、水位センサ２５により、前記水槽７内の水位が、前記機内排水ホース１６、フィルタユニット１７、エアトラップ２４及びエアチューブ２６を介して検出される。
【００１８】
そして、前記外箱２内の上部には、前記水槽７内への給水を行う給水機構２７が設けられる。即ち、前記外箱２の後端上面部には、水道に接続される給水口２８が設けられている。この給水口２８は、給水弁２９に接続され、この給水弁２９は、接続パイプ３０を介して注水ケース３１の入口部に接続されている。前記注水ケース３１の出口部が、給水ホース３２を介して前記水槽７に接続されている。図示はしないが、前記注水ケース３１の内部には、洗剤貯留部等が設けられている。これにて、給水弁２９の開放動作により、水道水が、給水口２８から給水弁２９、接続パイプ３０、注水ケース３１、給水ホース３２を介して水槽７に供給される。
【００１９】
尚、図示はしないが、前記外箱２内には、ドラム１０内に温風を循環供給して洗濯物を乾燥させるための乾燥ユニットが設けられている。この乾燥ユニットは、水槽７に設けられた給気口と排気口とを該水槽７の外側でつなぐように設けられた循環ダクト、この循環ダクト内に設けられた送風ファン及びヒータ等から構成されている。前記循環ダクト内に、除湿手段（例えばヒートポンプ）を設けても良い。
【００２０】
前記制御装置６は、コンピュータ（ＣＰＵ）を主体として構成され、ドラム式乾燥機１全体を制御して洗濯運転を実行する。詳しい説明は省略するが、制御装置６は、ユーザによる操作パネル５の操作信号や、水位センサ２５等の各種センサの検出信号に基づき、運転制御プログラムに従って、給水弁２９、排水弁１９、モータ９、循環ポンプ２１等の各機構を制御し、洗い、すすぎ、脱水などの各行程からなる洗濯運転を実行する。
【００２１】
このとき、前記洗濯運転のうち、洗い行程及びすすぎ行程では、水槽７内の所定水位までの給水状態で、ドラム１０を比較的低速で正方向（図２で矢印Ａ方向、例えば正面から見て時計回り方向）及び逆方向（図２で矢印Ｂ方向）に所定時間間隔で交互に回転させる制御が行われる。また、これら洗い行程及びすすぎ行程では、前記循環ポンプ２１が適宜駆動される。脱水行程では、ドラム１０を一方向（例えば正方向）に連続して高速回転する制御が行われる。尚、制御装置６は、更に乾燥ユニットを制御して洗濯運転後の乾燥運転を実行する。乾燥運転においては、ドラム１０は例えば正方向に連続回転される。
【００２２】
さて、前記バッフル１１の構成について、図４も参照して詳述する。上記したように、バッフル１１は、ドラム１０の内周面部に例えば３個が、ほぼ等間隔（１２０度間隔）で設けられており、図４はそのうち１個のバッフル１１を示している。図４は、仮にドラム１０の停止状態で、該ドラム１０の底部（最下部）に位置している一つのバッフル１１を、正面斜め右上方向から見た様子を示している。以下の説明で、上下左右等の方向をいう場合には、バッフル１１のこの状態を基準とする。
【００２３】
このバッフル１１は、合成樹脂から構成され、全体として、前後方向（ドラム１０の回転軸方向に平行）に延びる、下面が開口した細長い箱状（中空容器状）をなしている。このバッフル１１の断面（正面から前後向に見た状態）はほぼ台形状をなしており、細幅で前後方向に延びる頂部１１ａと、その頂部１１ａの両側縁部から下降傾斜して広がり、ドラム１０の円周方向を向く左右の側面部１１ｂ、１１ｃとを有した形態とされている。
【００２４】
この場合、側面部１１ｂ、１１ｃのうち、ドラム１０の正回転方向（矢印Ａ方向）に対して、回転方向を向く面を前側の側面部１１ｂと称し、それとは反対の逆回転方向（矢印Ｂ方向）に対して、回転方向を向く面を後側の側面部１１ｃと称する。尚、バッフル１１の前後両端部は、丸みを帯びたテーパ面状とされている。また、詳しく図示はしないが、バッフル１１の内部には、複数本の補強用のリブが設けられている。バッフル１１は，ドラム１０の内周壁部に対し、ねじ止め、或いは孔と爪との係合、それらの組合せ等により取付けられている。
【００２５】
そして、上記各バッフル１１には、回転により洗濯物の移動を促進するためのローラ３３が回転自在に設けられている。本実施形態では、ローラ３３は、各バッフル１１のうち後側の側面部１１ｃの前部、中間部、後部の３箇所に位置して、長手方向（前後方向）に並ぶように３個が設けられている。ローラ３３は、例えば合成樹脂から細長い円柱状（中空円筒状）に構成され、図示はしないが、前後の両端面の中心部から軸方向に突出する軸部を有している。
【００２６】
バッフル１１の側面部１１ｃには、前部、中間部、後部の３箇所に位置して、前後方向に細長い長方形の穴１１ｄが形成されている。これと共に、図示はしないが、バッフル１１には、各穴１１ｄの前後両端部の内側に位置して、ローラ３３の軸部を回転自在に支持するための軸受部が設けられている。尚、バッフル１１において、上記軸受部と補強用リブとを共用する、つまり補強用リブの一部に軸受部を設けるようにしても良い。
【００２７】
これにて、各ローラ３３は、バッフル１１の内側から穴１１ｄに僅かな隙間をもって嵌合するようにして、前記軸部が軸受部に支持されることにより、軸方向を前後方向として回転自在に設けられる。このとき、各ローラ３３の外周面のうち、円周方向に関して全体の半分よりやや少ない面積部分が、穴１１ｄから側面部１１ｃの外側に露出されるようになっている。従って、ローラ３３は、バッフル１１の側面部１１ｃに一部、この場合半分以上が埋まった状態に設けられている。
【００２８】
次に、上記構成のドラム式洗濯機１の作用・効果について述べる。ドラム式洗濯機１にあっては、上記したように、洗い行程及びすすぎ行程では、ドラム１０が比較的低速で正方向（矢印Ａ方向）及び逆方向（矢印Ｂ方向）に所定時間間隔で交互に回転され、脱水行程では、ドラム１０が正方向に連続して高速回転される。それら各行程においては、ドラム１０の回転に伴い、洗濯物がバッフル１１に接触して持ち上げられたり、擦られたりする。
【００２９】
このとき、バッフル１１に、ローラ３３が回転自在に取付けられていることにより、ローラ３３に接触した洗濯物は、ローラ３３の回転（相対的な転がり）に伴ってローラ３３外周の接線方向にスムーズに移動する。そのため、ドラム１０内での洗濯物の移動が良好に行われると共に、バッフル１１から洗濯物が剥がれやすくなる。従って、本実施形態によれば、ドラム１０内における洗濯物の移動をより促進して、洗濯物の偏りを抑制することができる。ひいては、汚れ落ちのむらの発生を防止することができる等、洗濯効果をより高めることができる。
【００３０】
特に本実施形態では、バッフル１１の後側の側面部１１ｃに、ローラ３３を設けるようにした。この場合、ドラム１０の回転方向に応じ、ドラム１０が正回転することにより、洗濯物は、バッフル１１のローラの存在しない側面部１１ｂに乗っかるようにしながら回転方向に上部まで持ち上げられ、その後、落下することが繰り返される。これにより、洗濯物を高く持ち上げて落下させることができ、高い洗浄効果を得ることができる。これに対し、ドラム１０が逆回転する場合には、洗濯物は、主として、バッフル１１のローラ３３が設けられた側面部１１ｃに接触するので、持ち上がりにくいが散らばりやすくなる。そのため、洗濯物の分散を促進する効果を得ることができる。
【００３１】
従って、洗いやすすぎ行程で、ドラム１０が交互に正逆回転することにより、洗濯物の上方への持ち上げの効果と、洗濯物の分散の効果を交互に得ることができ、効果的な洗濯を行うことができる。脱水行程では、ドラム１０が正方向に連続回転し、洗濯物は、主としてローラ３３の存在しない側の側面部１１ｂに接触するようになり、滑り落ちにくくなり、ドラム１０の内壁部に貼り付いた状態で脱水行程を進めることができる。
【００３２】
また、本実施形態では、ローラ３３を、バッフル１１に一部が埋まった状態に設ける構成とした。これによれば、ドラム１０内へのバッフル１１からの突出量をさほど大きくすることなく、ローラ３３を配置することができる。従って、ローラ３３に洗濯物が当たることによる布の痛みを抑制しながら、洗濯物のスムーズな移動が可能となり、効果的となる。ローラ３３とバッフル１１との間に、洗濯物の布の一部が挟まるといったことも防止することができる。
【００３３】
（２）第２、第３、第４の実施形態
図５は、第２の実施形態を示すものであり、図４と同様に、ドラム１０の停止状態で、該ドラム１０の底部（最下部）に位置している、突起部としての一つのバッフル４１を示している。このバッフル４１は、やはり前後方向に延びる頂部４１ａと、その頂部４１ａの両側縁部から下降傾斜して広がり、ドラム１０の円周方向を向く左右の側面部４１ｂ、４１ｃとを有している。
【００３４】
そして、この第２の実施形態では、バッフル４１のうち、両側面部４１ｂ、４１ｃに、上記第１の実施形態のローラ３３と同等の円筒状のローラ４２が設けられている。この場合、ローラ４２は、各側面部４１ｂ、４１ｃに対し、３本ずつが長手方向（前後方向）に並ぶようにして設けられている。これらローラ４２は、バッフル４１の穴４１ｄ部分に位置して、回転自在に支持されている。
【００３５】
この第２の実施形態によれば、上記第１の実施形態と同様に、バッフル４１にローラ４２を設けたので、ドラム１０内での洗濯物の移動が良好に行われると共に、バッフル４１から洗濯物が剥がれやすくなる。従って、ドラム１０内における洗濯物の移動をより促進して、洗濯物の偏りを抑制することができる。更に、特に本実施形態では、バッフル４１の側面部４１ｂ、４１ｃの両側にローラ４２を設けたので、ドラム１０が正逆どちらに回転した場合でも、ローラ４２と洗濯物とが良好に接触するようになり、ドラム１０の回転方向に関わらず、常に洗濯物を移動しやすい状態とすることができる。
【００３６】
図６は、第３の実施形態を示すものであり、第２の実施形態と同様に、突起部としての一つのバッフル５１を示している。このバッフル５１は、やはり前後方向に延びる頂部５１ａと、その頂部５１ａの両側縁部から下降傾斜して広がり、ドラム１０の円周方向を向く左右の側面部５１ｂ、５１ｃとを有している。そして、この第３の実施形態では、バッフル５１のうち、頂部５１ａに上記第１の実施形態のローラ３３と同等の円筒状のローラ５２が設けられている。この場合、ローラ５２は、頂部５１ａに３本が長手方向（前後方向）に並ぶようにして設けられている。これらローラ５２は、バッフル５１の穴５１ｄ部分に位置して、回転自在に支持されている。
【００３７】
この第３の実施形態によれば、バッフル５１にローラ５２を設けたので、ドラム１０内での洗濯物の移動が良好に行われると共に、バッフル５１から洗濯物が剥がれやすくなる。従って、ドラム１０内における洗濯物の移動をより促進して、洗濯物の偏りを抑制することができる。また、特に本実施形態では、バッフル５１の頂部５１ａにローラ５２を設けたので、ドラム１０が正逆どちらに回転しても、ローラ５２と洗濯物とが接触しやすくなり、洗濯物の移動の促進を図ることができる。洗濯物が、バッフル５１の頂部５１ａを相対的に乗り越えやすくなるので、洗濯物の移動をより促進することができる。
【００３８】
図７は、第４の実施形態を示すものであり、バッフル６１を示している。このバッフル６１は、やはり前後方向に延びる頂部６１ａと、その頂部６１ａの両側縁部から下降傾斜して広がり、ドラム１０の円周方向を向く左右の側面部６１ｂ、６１ｃとを有している。そして、このバッフル６１には、頂部６１ａ、側面部６１ｂ、６１ｃの夫々に、前後方向に並んで３カ所の穴６１ｄが形成され、各穴６１ｄ部分に、合計９個のローラ６２が、前後方向に延びる軸を中心に回転自在に設けられている。
【００３９】
この第４の実施形態によれば、バッフル６１にローラ６２を設けたので、ドラム１０内での洗濯物の移動が良好に行われると共に、バッフル６１から洗濯物が剥がれやすくなる。従って、ドラム１０内における洗濯物の移動をより促進して、洗濯物の偏りを抑制することができる。特に本実施形態では、洗濯物がローラ６２に接触しやすくなり、洗濯物の移動をより一層促進することができる。
【００４０】
（３）第５、第６の実施形態
図８は、第５の実施形態を示すものであり、上記第１の実施形態等と異なるところは、突起部としてのバッフル７１の構成にある。本実施形態では、バッフル７１は、全体として、前後方向（ドラム１０の回転軸方向に平行）に延びる、下面が開口し断面がほぼ台形状の細長い箱状（中空容器状）をなしている。このとき、バッフル７１の上端の頂部７１ａは、左右の幅寸法が一定の状態で、上面から見て緩やかなほぼＳ字状をなすように構成されている。
【００４１】
即ち、頂部７１ａは、バッフル７１の長手方向に延びる仮想中心線に対し、前半部では、左側方に向けて円弧状に膨らむ湾曲形状を有し、後半部では、右側方に向けて円弧状に膨らむ湾曲形状を有している。バッフル７１の側面部７１ｂ、７１ｃは、その頂部７１ａの湾曲に合わせて、頂部７１ａの両側縁部から下降傾斜して広がる形態とされている。そして、本実施形態では、上記第４の実施形態と同様に、バッフル７１の頂部７１ａ、側面部７１ｂ、７１ｃの夫々に、前後方向に並んで３カ所の穴７１ｄが形成され、各穴７１ｄ部分に、合計９個のローラ７２が、前後方向に延びる軸を中心に回転自在に設けられている。
【００４２】
この第５の実施形態によっても、上記第４の実施形態と同様に、バッフル７１にローラ７２を設けたので、ドラム１０内での洗濯物の移動が良好に行われると共に、バッフル７１から洗濯物が剥がれやすくなる。従って、ドラム１０内における洗濯物の移動をより促進して、洗濯物の偏りを抑制することができる。特に本実施形態では、洗濯物がローラ７２に接触しやすくなり、洗濯物の移動をより一層促進することができる。
【００４３】
図９は、第６の実施形態を示すものであり、バッフル８１の構成が上記第５の実施形態と異なる。即ち、このバッフル８１も、上端の頂部８１ａが上面から見て緩やかなほぼＳ字状をなすように構成されている。この第６の実施形態では、上記第３の実施形態と同様に、バッフル８１の頂部８１ａに形成された穴８１ｄ部分に３個のローラ８２が設けられ、側面部８１ｂ、８１ｃには、ローラを設けていない。
【００４４】
この第６の実施形態によれば、上記第３の実施形態と同様に、バッフル８１にローラ８２を設けたので、ドラム１０内における洗濯物の移動をより促進して、洗濯物の偏りを抑制することができる。バッフル８１の頂部８１ａにローラ８２を設けたので、ドラム１０が正逆どちらに回転しても、ローラ８２と洗濯物とが接触しやすくなり、洗濯物の移動の促進を図ることができる。洗濯物が、バッフル８１の頂部８１ａを相対的に乗り越えやすくなるので、洗濯物の移動をより促進することができる。
【００４５】
（４）第７の実施形態、その他の実施形態
図１０は、第７の実施形態を示すものであり、上記第１の実施形態等と異なるところは、突起部としてのバッフル９１の構成にある。即ち、バッフル９１は、第１の実施形態などと同様に、前後方向に延びる頂部９１ａと、その頂部９１ａの両側縁部から下降傾斜して広がり、ドラム１０の円周方向を向く左右の側面部９１ｂ、９１ｃとを有している。そして、この第７の実施形態では、バッフル９１のうち、例えば後側の側面部９１ｃに、前後方向に長い１本のローラ９２を、回転自在に備えている。
【００４６】
この場合も、図示はしないが、ローラ９２の前後両端面の中心部に軸部を有し、バッフル９１の側面部９１ｃには、ローラ９２が配置される細長い矩形状の穴９１ｄが形成されていると共に、バッフル９１内の穴９１ｄの両端部側に位置して軸受部が設けられている。これにて、ローラ９２は、バッフル９１の側面部１１ｃに一部（半分以上）が埋まった状態に回転自在に設けられている。
【００４７】
この第７の実施形態によっても、上記第１の実施形態と同様に、バッフル９１に、ローラ９２を回転自在に設けたことにより、ドラム１０内での洗濯物の移動が良好に行われると共に、バッフル９１から洗濯物が剥がれやすくなる。従って、ドラム１０内における洗濯物の移動をより促進して、洗濯物の偏りを抑制することができる等の作用・効果を得ることができる。
【００４８】
尚、上記した各実施形態では、３個のローラをバッフルに前後方向にほぼ均等に設けるようにしたが、前側と後側とで不均等に設けるようにしても良い。例えば、バッフルのうち、洗濯物が溜まりやすいドラムの後部寄り部位について、ローラの数を多くしたり、長さを長くしたりすることができ、洗濯物の移動の促進により効果的となる。また、バッフルにローラを設けることに加えて、ドラム内の背壁部にもローラを設けるようにしても良い。この場合、例えばローラの軸方向をドラムの半径方向と据えることができる。
【００４９】
さらに、上記した複数の実施形態を組合せて実施することも可能である。例えば、複数のバッフルに関して、夫々ローラを設ける位置や個数を変更したり、ロータを設けないバッフルを一部含ませたりすることも可能である。その他、ドラム式洗濯機の全体的な構成についても様々な変更が可能であり、例えば乾燥機能や循環ポンプを有していないドラム式洗濯機にも適用することができる等、要旨を逸脱しない範囲内で適宜変更して実施し得るものである。
【００５０】
上記実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００５１】
図面中、１はドラム式洗濯機、２は外箱、７は水槽、９はモータ（駆動装置）、１０はドラム、１１、４１、５１、６１、７１、８１、９１はバッフル（突起部）、１１ａ、４１ａ、５１ａ、６１ａ、７１ａ、８１ａ、９１ａは頂部、１１ｂ、１１ｃ、４１ｂ、４１ｃ、５１ｂ、５１ｃ、６１ｂ、６１ｃ、７１ｂ、７１ｃ、８１ｂ、８１ｃ、９１ｂ、９１ｃは側面部、１１ｄ、４１ｄ、５１ｄ、６１ｄ、７１ｄ、８１ｄ、９１ｄは穴、３３、４２、５２、６２、７２、８２、９２はローラを示す。
【図１】
2018126253.tif 000003
【図２】
2018126253.tif 000004
【図３】
2018126253.tif 000005
【図４】
2018126253.tif 000006
【図５】
2018126253.tif 000007
【図６】
2018126253.tif 000008
【図７】
2018126253.tif 000009
【図８】
2018126253.tif 000010
【図９】
2018126253.tif 000011
【図１０】
2018126253.tif 000012